(57)【要約】【課題】白蟻に対し優れた防除効果を発揮し、しかも人体への安全性の高いヒノキチオールを応用した防蟻部材であって、家屋の寿命に相当するような長期にわたり優れた防蟻性を発揮し、且つ家屋等の建築において極めて簡便に施工ができるシート状防蟻部材を提供すること。【解決手段】ヒノキチオール誘導体を含有することを特徴とするシート状防蟻部材。【選択図】　なし【特許請求の範囲】
【請求項１】
ヒノキチオール誘導体を含有することを特徴とするシート状防蟻部材。
【請求項２】
ヒノキチオール誘導体が、ヒノキチオールの有機塩または金属塩または金属錯体であることを特徴とする請求項１記載のシート状防蟻部材。
【請求項３】
ヒノキチオール誘導体が、ヒノキチオールのアシル体または配糖体であることを特徴とする請求項１記載のシート状防蟻部材。
【請求項４】
ヒノキチオール誘導体を塗布又は配合した合成樹脂シート、織布、不織布、紙あるいはそれらの積層体に粘着剤層を貼りあわせた形態であることを特徴とする請求項１から３のいずれかに記載のシート状防蟻部材。
【請求項５】
テープ状（平紐状）であることを特徴とする請求項１から４のいずれかに記載のシート状防蟻部材。
【発明の詳細な説明】
【０００１】
【発明の属する技術分野】
本発明は、ヒノキチオール誘導体を含有するシート状防蟻部材に関する。更に詳しくは、白蟻に対し優れた防除効果を発揮し、且つ人体への安全性の高いヒノキチオール誘導体を含有するシート状防蟻部材に関する。
【０００２】
【従来の技術】
ヒノキチオールが優れた害虫防除効果を有することは公知であり、それをテープに応用した例も既に開示されている。例えば、特開２００１−４８７１０号公報には、ヒノキチオール、ワサビ、カラシ、ハッカ、ニンニク等の抗菌防虫成分を塗布した粘着テープが開示されている。しかし、ヒノキチオールは昇華性の物質であるため、長期間にわたる効果の持続性は期待できない。実際、該公報に記載されている技術は、野菜や衣料などを収納した段ボール箱などへの害虫の侵入を阻止することを目的とするものであり、長期の持続性を必要とするものではない。該公報の実施例では、数日後の防虫効果を確認しているに過ぎず、しかも白蟻に関する効果は示されていない。すなわち該公報の技術では、家屋等を浸食する白蟻に対するヒノキチオールによる防除効果を、家屋の寿命に相当するような長期にわたり発揮させることは困難である。
【０００３】
一方、特開２００２−６８９０６号公報には、ヒノキチオール誘導体を含有する害虫忌避剤が開示されている。該公報には、蚊、ゴキブリ、ダニに有効であるとの記載があるのみで、白蟻に関する記載は一切ない。
【０００４】
【特許文献１】
特開２００１−４８７１０号公報
【特許文献２】
特開２００２−６８９０６号公報
【０００５】
【発明が解決しようとする課題】
本発明は、白蟻に対し優れた防除効果を発揮し、しかも人体への安全性の高いヒノキチオールを応用した防蟻部材であって、家屋の寿命に相当するような長期にわたり優れた防蟻性を発揮し、且つ家屋等の建築において極めて簡便に施工ができるシート状防蟻部材を提供することを目的とする。
【０００６】
【課題を解決するための手段】
本発明者らは、上記課題を解決するために鋭意検討した結果、本発明を完成した。すなわち、本発明は下記のとおりである。
１．ヒノキチオール誘導体を含有することを特徴とするシート状防蟻部材。
２．ヒノキチオール誘導体が、ヒノキチオールの有機塩または金属塩または金属錯体であることを特徴とする１．記載のシート状防蟻部材。
３．ヒノキチオール誘導体が、ヒノキチオールのアシル体または配糖体であることを特徴とする１．記載のシート状防蟻部材。
４．ヒノキチオール誘導体を塗布又は配合した合成樹脂シート、織布、不織布、紙あるいはそれらの積層体に粘着剤層を貼りあわせた形態であることを特徴とする１．から３．のいずれかに記載のシート状防蟻部材。
５．テープ状（平紐状）であることを特徴とする１．から４．のいずれかに記載のシート状防蟻部材。
【０００７】
【発明の実施の態様】
以下、本発明について、特にその実施態様を中心に、詳細に説明する。
本発明の防蟻部材においては、ヒノキチオール誘導体を用いることが必須要件である。ヒノキチオール自身は昇華性が高く、効果の持続性が極めて短いため、本発明が目的とする防蟻部材としての実用には到底耐えられない。ヒノキチオールを誘導体とすることで昇華が抑制され、実用に耐え得る長期持続性が獲得される。
【０００８】
本発明のシート状防蟻部材で用いるヒノキチオール誘導体としては、ヒノキチオールから一般的な化学変換等により導かれるものであれば特に制限はないが、ヒノキチオールの有機塩、金属塩または金属錯体、ヒノキチオールのアシル体、ヒノキチオールの配糖体、ヒノキチオールのシクロデキストリンや層状無機化合物の包接体、ヒノキチオールの有機質壁もしくは無機質壁マイクロカプセル、ヒノキチオールの有機質もしくは無機質粒子含浸体などがあげられる。ヒノキチオール誘導体の原料となるヒノキチオールは天然抽出品でも、化学合成品でもかまわない。ヒノキチオール誘導体の中でもヒノキチオールの有機塩、金属塩または金属錯体は、ヒノキチオールの持続性を改善する効果が大きく、且つ安価な原料から簡便に合成できるので、本発明で用いるヒノキチオール誘導体として好ましい。
本発明のシート状防蟻部材において、ヒノキチオール誘導体の配合量は、用いる環境や要求される防蟻性能などに応じて適宜設定すればよい。配合量の好ましい例を示すと０．０１から１００ｇ／ｍ２の範囲である。
【０００９】
本発明でいうところのヒノキチオール（４−イソプロピルトロポロン）とは、下記式（１）で表される。
【００１０】
【化１】
2004116089.tif 000002
【００１１】
ヒノキチオールは、タイワンヒノキや青森ヒバの精油中に含まれる天然物であり、人体に対して安全であるのみならず、優れた抗菌性と防虫性を有する物質である。
ヒノキチオールは近年、化学合成によっても製造され、様々な用途に使用されている。
本発明でいうところのヒノキチオールの有機塩とは、トリエタノールアミンなどの有機アミン塩である。
【００１２】
本発明でいうところのヒノキチオールの金属塩または金属錯体とは下記式（２）で表される。
【００１３】
【化２】
2004116089.tif 000003
【００１４】
ただし、式中Ｍは金属元素を表し、例えばＮａ、Ｋ、Ｍｇ、Ｃａ、Ｚｎ、Ｎｉ、Ｃｕ、Ａｌ、Ａｇ、Ｔｉなどがあげられる。式中ｎは金属の価数を表す。
ヒノキチオールの金属塩および金属錯体の製法はとくに制限はなく、公知の方法で合成すればよい。例えば、ヒノキチオールと水酸化ナトリウムまたは水酸化カリウムを反応させればヒノキチオールのナトリウム塩またはカリウム塩を合成することができるし、ヒノキチオール単体もしくはヒノキチオールのナトリウム塩またはカリウム塩を塩化銅、塩化亜鉛、塩化カルシウムなどの無機塩、ステアリン酸銅、ステアリン酸亜鉛、ステアリン酸カルシウムなどの有機塩と反応させればヒノキチオールの金属錯体が合成できる。本発明の防蟻部材の製造においては、ヒノキチオールの金属塩または金属錯体を予め合成してから配合しても良いし、防蟻部材の製造工程においてヒノキチオールとＮａ、Ｋ、Ｍｇ、Ｃａ、Ｚｎ、Ｎｉ、Ｃｕ、Ａｌ、Ａｇ、Ｔｉ等の無機塩、有機塩を混合することで生成させてもよい。
【００１５】
本発明でいうところのヒノキチオールのアシル体とは、ヒノキチオールの水酸基の水素原子をアシル基で置換したものであり、下記式（３）または（４）で表される。
【００１６】
【化３】
2004116089.tif 000004
【００１７】
【化４】
2004116089.tif 000005
【００１８】
ただし、Ｒ１は置換または無置換のアルキル基を表す。
ヒノキチオールのアシル体への変換は一般的な手法で実施すればよく、例えば脂肪酸などのカルボン酸の酸塩化物もしくはエステルとヒノキチオールを反応させる方法や、酵素の存在下で脂肪酸などのカルボン酸とヒノキチオールを反応（エステル化）させる方法などがあげられる。例えば、酪酸、吉草酸、カプロン酸、オクタン酸、カプリン酸、ラウリン酸、ミリスチン酸、パルミチン酸、ステアリン酸などの飽和脂肪酸、オレイン酸、リノール酸などの不飽和脂肪酸などの酸塩物とヒノキチオールを反応させる方法や、それらの酸とヒノキチオールをリパーゼやエステラーゼなどの酵素の存在下でエステル化する方法などがあげられる。
【００１９】
本発明でいうところのヒノキチオールの配糖体とは、ヒノキチオールの水酸基と糖類（Ｒ２ＯＨ）の水酸基を脱水縮合させてエーテル結合を形成せしめたものであり、下記式（５）または（６）で表される。
【００２０】
【化５】
2004116089.tif 000006
【００２１】
【化６】
2004116089.tif 000007
【００２２】
ヒノキチオールに結合させる糖類（Ｒ２ＯＨ）としては特に制限はなく、一般的なものを用いればよく、例えばグルコース、フルクトース、マンノース、ガラクトースなどのヘキソース、キシロース、アラビノースなどのペントソースなどの単糖類、プリメベロース、ゲンチオビオース、ルチノース、ストロファントビオース、セロビオースなどの二糖類、その他の多糖類あるいはそれらの誘導体を用いることができる。
【００２３】
本発明のシート状防蟻部材は、家屋等の建築に供することができ、白蟻が這い上がり家屋等を侵食するのを防止するために、家屋等の基礎周辺に施工することを主目的とするが、白蟻は時として高所にも被害をもたらすので、そうした箇所に施工することも可能である。
本発明のシート状防蟻部材の形態は、シート状であれば特に制限はなく、例えば、ヒノキチオール誘導体を塗布や練り込みなどによって配合した合成樹脂シート、織布、不織布、紙あるいはそれらの積層体などが挙げられる。
【００２４】
本発明のシート状防蟻部材を様々な対象物に貼付して使用する場合には、接着剤や粘着剤をその都度塗布して施工する方法の他、粘着剤層を予め備えた形態にしておくことも可能である。その場合、ヒノキチオール誘導体が粘着剤層に配合された形態でも粘着剤層以外の層にそれが配合された形態でも構わない。
本発明のシート状防蟻部材の好ましい形態は、ヒノキチオール誘導体を塗布や練り込みなどによって配合した合成樹脂シート、織布、不織布、紙あるいはそれらの積層体に粘着剤層を貼りあわせた形態であり、それを白蟻の侵入経路上の必要最小限の箇所に貼付すれば白蟻の侵入を阻止することができるものである。その場合、粘着剤層にもヒノキチオール誘導体が配合されていても構わない。シート状防蟻部材の寸法は、貼付する箇所の状況に応じて適宜設定すればよいが、施工の簡便さという観点より、テープ状（平紐状）としておくことが好ましい。
【００２５】
本発明のシート状防蟻部材の形態や家屋等の基礎周辺に適用する施工例としては以下のような態様があげられるが、本発明のシート状防蟻部材の適用範囲はこれらの例により何ら制限されない。
・建築物の床下等に敷設する防蟻兼防湿シート（例：実開昭５３−８０９０８号公報の第１図など）。
・テープ状あるいはシート状基材の片面または両面に粘着層を設け、該粘着層に防蟻剤を混入したもの（例：特開平１−２７９８０４号公報など）。
・片面に防蟻剤層を有し、他面に粘着剤層を有するテープ基材を、両面剥離紙とともにまきあげたテープ（例：実開平２−２９４０１号公報の第１図および第２図など）。
・シート状防蟻部材を建築物の土台となる木材と基礎コンクリートの間に布設する方法（例：実開昭５８−５７４０５号公報に第１図および第２図の方法、実開昭５９−１６７２１２号公報の第２図の方法、実開昭６０−２９８１０号公報の第１図の方法、特開平９−１１０６０６号公報の図３の方法など）。
【００２６】
・建築物の基礎に装着する方法（例：実開昭５８−１２６３０７号公報の第１図および第２図の方法、特開昭５９−１９９９２１号公報の第３図および第４図の方法、実開昭６０−１３６３０３号公報の第２図の方法、実開昭６１−５３４０８号公報の第１図の方法、特開平１０−８８６８３号公報の第２図の方法、特開２００１−１９３１８１号公報の第１図および第４図の方法など）。
・布基礎で囲まれた床下土壌面にシート状防蟻部材を敷設する方法（実開昭６１−２６７４１号公報の第２図の方法、実開昭６１−６９３０８号公報の第２図の方法、特開昭６３−７０７４３号公報の第１図の方法など）、及び該シート状防蟻部材の端縁部と布基礎や束石との間を粘着性を付与したシート状防蟻部材（粘着テープ状防蟻部材）で塞ぐ方法（例：実開昭５９−１６７２１２号公報の第２図の方法、特開平５−３４６０４７号公報の第５図の方法など）。
・建築物の布基礎周辺等に用いる断熱材を被覆する方法（例：特開平１１−３５０５０２号公報の図１の方法、特開２０００−２７３９７７号公報の図１の方法、特開２０００−１６０７２２号公報の図１の方法など）や、断熱材と基礎の間をシート状防蟻部材（防蟻効果のあるテープ）で塞ぐ方法（例：特開平１１−２５６７１５号公報の図２の方法など）。
【００２７】
次に、本発明を実施例によりさらに詳細に説明する。なお、配合量等における部および％はすべて重量基準である。
【００２８】
【実施例１〜４、比較例１】
両表面にコロナ放電処理を施したポリエチレン製シート（厚さ０．１ｍｍ）の片面に、ヒノキチオール誘導体を５ｗｔ％含有するアクリル樹脂エマルション塗料（固形分６０ｗｔ％）を１００ｇ／ｍ２の割合で塗布し、乾燥させた。該シートのもう一方の面に、ゴム系粘着剤（固形分５０ｗｔ％）を５０ｇ／ｍ２の割合で塗布し、シート状防蟻部材（テープ）を得た。
該シート状防蟻部材（テープ）を、アカマツ辺材（２０×２０×２０ｍｍ）の全表面に隙間のないように貼り付け、防蟻試験用の試験片を得た。
該シート状防蟻部材（テープ）の場合、対象物に貼り付けるのみで施工が完了するので、防蟻性塗料を対象物に塗布して乾燥する汎用の施工法に比べ、極めて簡便且つ短時間で施工が完了した。
得られた試験片に５０℃×１か月の熱処理（耐候操作）を施した後、各１０個ずつイエシロアリ巣上に無作為に配置し、一か月後の食害の程度を観察したとともに、試験片の重量減少率を求めた。結果を表１に示した。
【００２９】
実施例１〜４は、本発明の必須要件であるヒノキチオール誘導体を含有しているので、耐候操作を施された試験片であっても優れた防蟻効果が得られている。一方、比較例１は、ヒノキチオール自身を含有しているため、耐候操作でヒノキチオールが逃散し、防蟻性が不足する結果となっている。
【００３０】
【比較例２】
ヒノキチオール誘導体を含有させないこと以外は実施例１と同様の方法で試験片を作成し、同様の熱処理（耐候操作）を施した後、各１０個ずつイエシロアリ巣上に無作為に配置し、食害の程度を観察したとともに、試験片の重量減少率を求めた。結果を表１に示した。
比較例２は白蟻による食害が甚大である。
【００３１】
【表１】
2004116089.tif 000008
【００３２】
【発明の効果】
本発明により、白蟻に対し優れた防除効果を発揮し、しかも人体への安全性の高いヒノキチオールを応用した防蟻部材であって、家屋の寿命に相当するような長期にわたり優れた防蟻性を発揮し、且つ家屋等の建築において極めて簡便に施工ができるシート状防蟻部材を提供することが可能となる。